(57)【要約】【課題】洗剤混合タンクからあふれた液体をオーバーフロー流路によって防水パンに排出できるとともに、防水パンから洗剤混合タンクへの液体の逆流を抑制できる浴室を提供する。【解決手段】洗い場床と、洗い場床に隣接するように設けられる浴槽と、浴槽の下方に設けられる防水パンと、洗剤を貯留する洗剤タンクと、洗剤タンクから供給される洗剤と給水源から供給される水とを混合して洗剤水を生成する洗剤混合タンクと、洗剤水を浴槽の内側壁面に向けて噴出するノズルと、を備え、洗剤混合タンクは、タンク本体と、タンク本体の所定水位を超えた液体を防水パンに排出するオーバーフロー流路と、を有し、オーバーフロー流路の下流端に位置する開口部は、防水パンの内底面から離間していることを特徴とする浴室。【選択図】図５
2020069080.tif 000002
【特許請求の範囲】
【請求項１】
洗い場床と、
前記洗い場床に隣接するように設けられる浴槽と、
前記浴槽の下方に設けられる防水パンと、
洗剤を貯留する洗剤タンクと、
前記洗剤タンクから供給される洗剤と給水源から供給される水とを混合して洗剤水を生成する洗剤混合タンクと、
前記洗剤水を前記浴槽の内側壁面に向けて噴出するノズルと、
を備え、
前記洗剤混合タンクは、タンク本体と、前記タンク本体の所定水位を超えた液体を前記防水パンに排出するオーバーフロー流路と、を有し、
前記オーバーフロー流路の下流端に位置する開口部は、前記防水パンの内底面から離間していることを特徴とする浴室。
【請求項２】
前記オーバーフロー流路の前記開口部は、前記防水パンから液体があふれる水位よりも上方に位置していることを特徴とする請求項１記載の浴室。
【発明の詳細な説明】
【技術分野】
【０００１】
本発明の態様は、一般的に、浴室に関する。
【背景技術】
【０００２】
浴槽を自動で洗浄する浴槽洗浄装置が知られている（特許文献１）。このような浴槽洗浄装置は、浴槽の内壁面に洗剤や水（湯）などを散布することで、浴槽の内壁面を自動で洗浄することができる。
【先行技術文献】
【特許文献】
【０００３】
【特許文献１】特開平４−２６９９３５号公報
【発明の概要】
【発明が解決しようとする課題】
【０００４】
浴槽洗浄装置は、例えば、洗剤を水で希釈した洗剤水をノズルから浴槽の内壁面に噴出させ、浴槽の内壁面を自動で洗浄する。このような浴槽洗浄装置において、洗剤水を生成するために、洗剤混合タンクを設けることが知られている。この場合、洗剤混合タンクの上流側（上水や給湯器側）の流路に洗剤混合タンク内の洗剤水や水などの液体が逆流しないようにするための逆流防止手段が必要となる。
【０００５】
逆流防止手段として、洗剤混合タンクにオーバーフロー流路を設けることが考えられる。このようなオーバーフロー流路を設ける場合、例えば、洗剤混合タンクからあふれた液体をオーバーフロー流路によって浴室の洗い場側の空間に排出することが考えられる。しかし、液体を洗い場側の空間に排出すると、洗い場の床面が意図せずに濡れてしまうという問題がある。また、例えば、洗剤混合タンクからあふれた液体をオーバーフロー流路によって浴室空間の外に排出することが考えられる。しかし、液体を浴室空間の外に排出しようとすると、漏水のリスクや施工の複雑化を招くこととなり、特に戸建て住宅ではないマンション等の場合には、現実的ではない。これらのことから、洗剤混合タンクからあふれた液体は、浴槽の下方に設置される防水パンに排出することが好ましい。
【０００６】
しかし、防水パンは、下方へ窪んだ形状であり、汚水が溜まるおそれがある。そのため、あふれた液体を防水パンに排出する構造とした場合、防水パンに溜まった汚水がオーバーフロー流路から洗剤混合タンク内に逆流し、洗剤混合タンクが汚染されるおそれがある。
【０００７】
本発明は、かかる課題の認識に基づいてなされたものであり、洗剤混合タンクからあふれた液体をオーバーフロー流路によって防水パンに排出できるとともに、防水パンから洗剤混合タンクへの液体の逆流を抑制できる浴室を提供することを目的とする。
【課題を解決するための手段】
【０００８】
第１の発明は、洗い場床と、前記洗い場床に隣接するように設けられる浴槽と、前記浴槽の下方に設けられる防水パンと、洗剤を貯留する洗剤タンクと、前記洗剤タンクから供給される洗剤と給水源から供給される水とを混合して洗剤水を生成する洗剤混合タンクと、前記洗剤水を前記浴槽の内側壁面に向けて噴出するノズルと、を備え、前記洗剤混合タンクは、タンク本体と、前記タンク本体の所定水位を超えた液体を前記防水パンに排出するオーバーフロー流路と、を有し、前記オーバーフロー流路の下流端に位置する開口部は、前記防水パンの内底面から離間していることを特徴とする浴室である。
【０００９】
この浴室によれば、洗剤混合タンクにオーバーフロー流路を設けることで、タンク本体の所定水位を超えた液体を防水パンに排出することができる。これにより、タンク本体からあふれた液体がタンク本体に洗剤を供給する洗剤流路及びタンク本体に水を供給する給水流路へ逆流することを抑制できる。また、この浴室によれば、オーバーフロー流路の下流端に位置する開口部を防水パンの内底面から離間させることで、防水パンから洗剤混合タンクへの液体の逆流を抑制できる。
【００１０】
第２の発明は、第１の発明において、前記オーバーフロー流路の前記開口部は、前記防水パンから液体があふれる水位よりも上方に位置していることを特徴とする浴室である。
【００１１】
この浴室によれば、オーバーフロー流路の開口部が防水パンから液体があふれる水位よりも上方に位置することで、防水パンからあふれる水位まで液体が溜まったとしても、オーバーフロー流路の開口部が防水パンに溜まった液体に浸ることを抑制できる。これにより、防水パンから洗剤混合タンクへの液体の逆流をより確実に抑制できる。
【発明の効果】
【００１２】
本発明の態様によれば、洗剤混合タンクからあふれた液体をオーバーフロー流路によって防水パンに排出できるとともに、防水パンから洗剤混合タンクへの液体の逆流を抑制できる浴室が提供される。
【図面の簡単な説明】
【００１３】
【図１】実施形態に係る浴室を模式的に表す斜視図である。
【図２】実施形態に係る浴室の防水パンを模式的に表す斜視図である。
【図３】実施形態に係る浴室の一部を模式的に表す説明図である。
【図４】実施形態に係る浴室の洗剤混合タンクを模式的に表す断面図である。
【図５】実施形態に係る浴室の一部を模式的に表す断面図である。
【発明を実施するための形態】
【００１４】
以下、本発明の実施の形態について図面を参照しつつ説明する。なお、各図面中、同様の構成要素には同一の符号を付して詳細な説明は適宜省略する。
図１は、実施形態に係る浴室を模式的に表す斜視図である。
図２は、実施形態に係る浴室の防水パンを模式的に表す斜視図である。
図１及び図２に表したように、浴室１００は、例えば、洗い場床１０と、浴槽２０と、防水パン３０と、を備える。
【００１５】
洗い場床１０は、浴室１００の下部に設けられる。洗い場床１０は、液体を排出するための排水部１１を有する。洗い場床１０は、例えば、防水パン３０の一部と接続される。
【００１６】
浴槽２０は、洗い場床１０に隣接するように設けられる。浴槽２０は、例えば、上面視において、長辺と短辺とを有する横長形状である。浴槽２０は、ボウル状の本体部２１と、本体部２１の上端部（すなわち、ボウルの縁）から本体部２１の外側（側方）に向かって延びる外延部２２と、を有する。
【００１７】
浴槽２０の本体部２１には、湯を貯めることができる。本体部２１は、内壁面２３を有する。内壁面２３は、本体部２１の内側の面である。
【００１８】
内壁面２３は、内壁面２３の最下部に位置する内底面２３ａと、内底面２３ａよりも上方に位置する内側壁面２３ｂと、を有する。内底面２３ａには、浴槽２０内の液体を下方に向かって排出する排水口２５が設けられる。浴槽２０の排水口２５から排出された液体は、例えば、洗い場床１０に設けられた排水部１１から排出された液体と合流する。
【００１９】
防水パン３０は、浴槽２０の下方に設けられる。防水パン３０は、例えば、浴槽２０の下方及び側方に設けられる。浴槽２０の本体部２１と防水パン３０との間には、空間が設けられる。防水パン３０は、例えば、浴槽２０の下方に位置する底部３１と、浴槽２０の側方に位置する側部３２と、を有する。
【００２０】
防水パン３０の底部３１には、防水パン３０内の液体を下方に向かって排出する排水口３３が設けられる。防水パン３０の排水口３３は、例えば、浴槽２０の排水口２５の近傍に設けられる。排水口３３は、逆止弁により構成される。この逆止弁により、浴槽２０からの排水が防水パン３０内へ逆流することを抑制できる。排水口３３は、防水パン３０内の水を常に排出するような構造ではないため、防水パン３０内には、液体（汚水）が溜まりやすい。
【００２１】
防水パン３０の側部３２は、例えば、洗い場床１０側に位置する第１側部３２ａと、第１側部３２ａに対向する第２側部３２ｂと、第１側部３２ａと第２側部３２ｂとを接続する第３側部３２ｃ及び第４側部３２ｄと、を有する。第３側部３２ｃは、例えば、第４側部３２ｄに対向する。
【００２２】
第２側部３２ｂの上下方向の長さ（高さ）、第３側部３２ｃの上下方向の長さ（高さ）、及び第４側部３２ｄの上下方向の長さ（高さ）は、例えば、それぞれ略同じである。この例では、第２〜第４側部３２ｂ〜３２ｄは、浴槽２０の外延部２２の下端まで延びている。第１側部３２ａの上下方向の長さ（高さ）は、第２〜第４側部３２ｂ〜３２ｄの上下方向の長さ（高さ）よりも短い。
【００２３】
洗い場床１０は、例えば、第１側部３２ａに接続される。第１側部３２ａは、例えば、洗い場床１０の一部を支持する。浴槽２０の外延部２２の洗い場床１０側の部分と洗い場床１０との間には、バスエプロン３５が設けられる。バスエプロン３５は、浴槽２０の本体部２１の洗い場床１０側の面の少なくとも一部を覆う。
【００２４】
図３は、実施形態に係る浴室の一部を模式的に表す説明図である。
図３に表したように、浴室１００は、例えば、洗剤タンク４０と、洗剤混合タンク５０と、ノズル６０と、をさらに備える。
【００２５】
洗剤タンク４０は、洗剤を貯留する。洗剤タンク４０には、例えば、フロートスイッチなどの水位検知部４１が設けられる。
【００２６】
洗剤混合タンク５０は、洗剤タンク４０及び給水源ＷＳの下流に設けられる。洗剤混合タンク５０は、洗剤タンク４０から供給される洗剤と給水源ＷＳから供給される水とを混合して洗剤水を生成する。なお、本願明細書において「水」という場合には、冷水のみならず、加熱されたお湯も含むものとする。つまり、給水源ＷＳは、例えば、給湯器を有していてもよい。
【００２７】
洗剤混合タンク５０は、洗剤水を貯留するタンクである。洗剤混合タンク５０は、例えば、ノズル３０から洗剤水を噴出する際には洗剤水を貯留し、ノズル３０から水を噴出する際には水を貯留する。洗剤混合タンク５０には、例えば、フロートスイッチなどの水位検知部５１が設けられる。
【００２８】
洗剤タンク４０と洗剤混合タンク５０との間には、洗剤流路４５が設けられる。洗剤流路４５は、洗剤タンク４０と洗剤混合タンク５０とを接続する。洗剤流路４５には、例えば、開閉弁４６と、流量調整部４７と、ポンプ４８と、が設けられる。
【００２９】
開閉弁４６は、例えば、電磁弁である。開閉弁４６は、洗剤混合タンク５０への洗剤の供給を制御する。開閉弁４６を開状態にすることで、洗剤タンク４０に貯留された洗剤が洗剤混合タンク５０に供給される。開閉弁４６を閉状態にすることで、洗剤タンク４０から洗剤混合タンク５０への洗剤の供給が停止される。
【００３０】
流量調整部４７は、例えば、開閉弁４６の下流に設けられる。流量調整部４７は、例えば、オリフィスである。流量調整部４７は、洗剤流路４５を流れる洗剤の流量を調整する。流量調整部４７は、必要に応じて設けられ、省略可能である。
【００３１】
ポンプ４８は、例えば、開閉弁４６及び流量調整部４７の下流に設けられる。ポンプ４８は、洗剤流路４５内の洗剤を洗剤混合タンク５０に送液する。
【００３２】
給水源ＷＳと洗剤混合タンク５０との間には、給水流路５５が設けられる。給水流路５５は、給水源ＷＳと洗剤混合タンク５０とを接続する。給水流路５５には、例えば、開閉弁５６と、流量調整部５７と、が設けられる。
【００３３】
開閉弁５６は、例えば、電磁弁である。開閉弁５６は、洗剤混合タンク５０への水の供給を制御する。開閉弁５６を開状態にすることで、給水源ＷＳからの水が洗剤混合タンク５０に供給される。開閉弁５６を閉状態にすることで、給水源ＷＳから洗剤混合タンク５０への水の供給が停止される。
【００３４】
流量調整部５７は、例えば、開閉弁５６の下流に設けられる。流量調整部５７は、例えば、定流量弁である。流量調整部５７は、給水流路５５を流れる水の流量を調整する。
【００３５】
ノズル６０は、例えば、浴槽２０の本体部２１の内底面２３ａに設けられる。ノズル６０は、噴出口６１を有する。噴出口６１は、例えば、液体（洗剤水または水）を浴槽２０の本体部２１の内側壁面２３ｂに向けて噴出する。ノズル６０は、例えば、鉛直方向を軸に（すなわち、水平方向に）回転可能に設けられる。
【００３６】
なお、この例では、ノズル６０は、噴出口６１から浴槽２０の本体部２１の内側壁面２３ｂの一部に向けて液体を噴出させながら回転することで、液体を浴槽２０の本体部２１の内側壁面２３ｂの全体に散布するが、ノズル６０は、これに限定されない。ノズル６０は、例えば、噴出口６１から浴槽２０の本体部２１の四方の内側壁面２３ｂに向けて同時に液体を噴出させてもよい。また、ノズル６０は、例えば、噴出口６１から浴槽２０の本体部２１の四方の内側壁面２３ｂに向けて同時に液体を噴出させるとともに、回転してもよい。
【００３７】
洗剤混合タンク５０とノズル６０との間には、洗浄流路６５が設けられる。洗浄流路６５は、洗剤混合タンク５０とノズル６０とを接続する。洗浄流路６５には、例えば、噴出制御部６６と、逆流防止部６７と、が設けられる。
【００３８】
噴出制御部６６は、噴出口６１からの液体の噴出を制御する。噴出制御部６６は、洗剤混合タンク５０の下流に設けられる。噴出制御部６６は、例えば、ポンプである。噴出制御部６６は、例えば、電磁弁などの開閉弁であってもよい。噴出制御部６６は、例えば、噴出口６１からの液体の噴出瞬間流量を制御する。
【００３９】
逆流防止部６７は、例えば、噴出制御部６６の下流に設けられる。逆流防止部６７は、ノズル６０から洗剤混合タンク５０への洗剤水や水、排水などの逆流を抑制する。逆流防止部６７は、例えば、逆止弁または電磁弁である。複数の逆止弁、複数の電磁弁、または逆止弁と電磁弁の組み合わせから逆流防止部６７が構成されてもよい。
【００４０】
洗剤タンク４０及び洗剤混合タンク５０は、例えば、浴槽２０の本体部２１と防水パン３０との間の空間に設けられる。より具体的には、洗剤タンク４０及び洗剤混合タンク５０は、例えば、防水パン３０の第３側部３２ｃと、浴槽２０の本体部２１の第３側部３２ｃ側の部分との間の空間に設けられる。
【００４１】
なお、実施形態において、浴室１００は、洗剤タンク４０、洗剤混合タンク５０、及びノズル６０などを有する浴槽洗浄装置（浴槽洗浄ユニット）を備えていてもよい。換言すれば、洗剤タンク４０、洗剤混合タンク５０、及びノズル６０などは、浴槽洗浄装置（浴槽洗浄ユニット）として、浴室１００に組み込まれていてもよい。
【００４２】
図４は、実施形態に係る浴室の洗剤混合タンクを模式的に表す断面図である。
図４に表したように、洗剤混合タンク５０は、タンク本体５２と、オーバーフロー流路５３と、を有する。タンク本体５２は、洗剤水や水を貯留する。タンク本体５２の上部には、洗剤流路４５及び給水流路５５が接続されている。水位検知部５１は、タンク本体５２の内部に設けられている。
【００４３】
オーバーフロー流路５３は、タンク本体５２の所定水位を超えた液体を防水パン３０に排出する。この例では、オーバーフロー流路５３は、タンク本体５２の上部側方から下方に延びている。オーバーフロー流路５３は、タンク本体５２を貫通して内部に配置されてもよい。
【００４４】
また、この例では、オーバーフロー流路５３に封水部５４が設けられている。封水部５４は、例えば、Ｓ字状のトラップ構造であり、内部に水が溜まるように設けられている。このような封水部５４を設けることで、タンク本体５２の外部からの菌などを封水部５４の水によってトラップすることができるため、菌などがタンク本体５２の内部に入ることを抑制できる。したがって、タンク本体５２の内部が菌などにより汚染されることを抑制できる。なお、封水部５４は、必要に応じて設けられ、省略可能である。
【００４５】
タンク本体５２の所定水位を超えた液体は、オーバーフロー流路５３の上流端５３ａから、封水部５４を通って、オーバーフロー流路５３の下流端５３ｂに流れ、下方に排出される。所定水位は、オーバーフロー流路５３の上流端５３ａの下端の位置と同じである。オーバーフロー流路５３の下流端５３ｂは、例えば、タンク本体５２の下端よりも下方に位置する。オーバーフロー流路５３の下流端５３ｂには、開口部５８が設けられている。
【００４６】
このようなオーバーフロー流路５３を設けることで、タンク本体５２に過剰な液体が供給された場合などに、タンク本体５２からあふれた液体をタンク本体５２の外に排出することができる。これにより、タンク本体５２からあふれた液体が洗剤流路４５及び給水流路５５へ逆流することを抑制することができる。
【００４７】
図５は、実施形態に係る浴室の一部を模式的に表す断面図である。
図５は、図１に示したＡ−Ａ線による断面図である。
図５に表したように、オーバーフロー流路５３の下流端５３ｂに位置する開口部５８は、防水パン３０の内底面３１ａから離間する。内底面３１ａは、防水パン３０の底部３１の浴槽２０側の面である。換言すれば、内底面３１ａは、防水パン３０の底部３１の上側の面である。
【００４８】
このように、オーバーフロー流路５３の下流端５３ｂに位置する開口部５８を、防水パン３０の内底面３１ａから離間させることで、洗剤混合タンク５０（タンク本体５２）からあふれた液体をオーバーフロー流路５３によって防水パン３０に排出できるとともに、防水パン３０から洗剤混合タンク５０への液体の逆流を抑制できる。
【００４９】
また、実施形態において、オーバーフロー流路５３の開口部５８は、防水パン３０から液体があふれる水位よりも上方に位置することが好ましい。防水パン３０から液体があふれる水位は、例えば、図５において破線で示した位置である。防水パン３０から液体があふれる水位は、例えば、洗い場床１０と防水パン３０の第１側部３２ａとの接続部における洗い場床１０の上端の位置と同じである。
【００５０】
このように、オーバーフロー流路５３の開口部５８を防水パン３０から液体があふれる水位よりも高い位置に設けることで、防水パン３０からあふれる水位まで液体が溜まったとしても、オーバーフロー流路５３の下流端５３ｂ（開口部５８）が防水パン３０に溜まった液体に浸ることを抑制できる。これにより、防水パン３０から洗剤混合タンク５０への液体の逆流をより確実に抑制できる。
【００５１】
例えば、バスエプロン３５と洗い場床１０との間には、液体が通過可能な隙間が設けられてもよい。このような隙間を設けることで、防水パン３０からあふれる水位まで液体が溜まると、液体は、洗い場床１０側に流れ、バスエプロン３５を越えて洗い場床１０の排水部１１から排水される。これにより、防水パン３０からあふれる水位を大幅に超える位置まで液体が溜まることを抑制でき、オーバーフロー流路５３の下流端５３ｂ（開口部５８）が防水パン３０に溜まった液体に浸ることをより確実に抑制できる。
【００５２】
また、実施形態において、オーバーフロー流路５３の開口部５８は、防水パン３０から液体があふれる水位よりも２５ｍｍ以上上方に位置することが好ましい。換言すれば、オーバーフロー流路５３の開口部５８と防水パン３０から液体があふれる水位との間の距離は、２５ｍｍ以上であることが好ましい。これにより、防水パン３０から洗剤混合タンク５０への液体の逆流をさらに確実に抑制できる。
【００５３】
また、実施形態において、防水パン３０から液体があふれる水位は、防水パン３０の第１側部３２ａの上端の位置と同じであってもよい。つまり、オーバーフロー流路５３の開口部５８は、防水パン３０の第１側部３２ａの上端よりも上方に位置していてもよい。また、この場合、オーバーフロー流路５３の開口部５８は、防水パン３０の第１側部３２ａの上端よりも２５ｍｍ以上上方に位置することが好ましい。
【００５４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴槽洗浄装置などが備える各要素の形状、寸法、材質、配置などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００５５】
１０ 洗い場床、  １１ 排水部、  ２０ 浴槽、  ２１ 本体部、  ２２ 外延部、  ２３ 内壁面、  ２３ａ 内底面、  ２３ｂ 内側壁面、  ２５ 排水口、  ３０ 防水パン、  ３１ 底部、  ３１ａ 内底面、  ３２ 側部、  ３２ａ〜３２ｄ 第１〜第４側部、  ３３ 排水口、  ３５ バスエプロン、  ４０ 洗剤タンク、  ４１ 水位検知部、  ４５ 洗剤流路、  ４６ 開閉弁、  ４７ 流量調整部、  ４８ ポンプ、  ５０ 洗剤混合タンク、  ５１ 水位検知部、  ５２ タンク本体、  ５３ オーバーフロー流路、  ５３ａ 上流端、  ５３ｂ 下流端、  ５４ 封水部、  ５５ 給水流路、  ５６ 開閉弁、  ５７ 流量調整部、  ５８ 開口部、  ６０ ノズル、  ６１ 噴出口、  ６５ 洗浄流路、  ６６ 噴出制御部、  ６７ 逆流防止部、  １００ 浴室、  ＷＳ 給水源
【図１】
2020069080.tif 000003
【図２】
2020069080.tif 000004
【図３】
2020069080.tif 000005
【図４】
2020069080.tif 000006
【図５】
2020069080.tif 000007